(57)【要約】【目的】  複数の書き込み可能なディスク状の記録層からなる記録媒体をフォーマット終了前に取り出すときの時間を短縮する。【構成】  上記ＤＶＤ２層ディスクに対してファーマット処理が終了する前にディスクの排出指示があった場合、第１記録層のフォーマットが済んだフォーマット済領域２４の次の記録位置から中間ゾーン２５を書き込む。また、第２記録層において第１記録層の中間ゾーン２５と対応する位置に中間ゾーン２８を設ける。さらに、第１記録層のフォーマット済領域２４と対応する位置の領域にダミーデータを書き込んでダミーデータ書込領域２７にする。そして、フォーマットが未終了の中間ゾーン２５と２８より外周側は、ブランクのままのブランク領域２６と２９にする。【選択図】        図３
2006294101.tif 000002
【特許請求の範囲】
【請求項１】
複数の書き込み可能なディスク状の記録層からなり、該各記録層の内周側に欠陥領域を代替するための交替領域を配置した記録媒体に対して情報の読み書きを行う手段を備えたことを特徴とする情報記録再生装置。
【請求項２】
前記各記録層に配置した交替領域の大きさをそれぞれ異ならせたことを特徴とする請求項１記載の情報記録再生装置。
【請求項３】
前記各記録層の交替領域の配置位置をそれぞれずらしたことを特徴とする請求項１記載の情報記録再生装置。
【請求項４】
複数の書き込み可能なディスク状の記録層からなり、該各記録層の書き始める位置側に欠陥領域を代替するための交替領域を配置した記録媒体に対して情報の読み書きを行う手段を備えたことを特徴とする情報記録再生装置。
【発明の詳細な説明】
【技術分野】
【０００１】
この発明は、複数の記録層を有する記録媒体に対する情報の読み書きを行う情報記録再生装置に関する。
【背景技術】
【０００２】
書き換え可能な記録媒体の論理フォーマットの規格として、マウントレイニア（Ｍｔ．Ｒａｉｎｉｅｒ）が規定されている。
マウントレイニアの特徴としては、記録媒体上に欠陥検出時の交替領域を設けている。
例えば、ＤＶＤ＋ＲＷディスクにおいては、交替領域がディスクの最内周と最外周に設けられている。その最内周の交替領域は最外周の交替領域より小さく、また、予め欠陥位置に対応する交替領域が決められているため、ほとんどの欠陥領域は最外周の交替領域に交替されるようになっている。
【０００３】
ＤＶＤ＋ＲＷディスクにおいては、フォーマット処理（ユーザがデータを書き込む前にディスクを論理的に初期化する処理）が終了する前にユーザがデータを書き込むことが可能である。
また、フォーマット終了前にディスクを取り出すことも可能である。
その場合、ディスクの取り出しを早くするため、フォーマットが終了した位置、または、最外周のユーザデータ位置までをアクセス可能領域としなければならない。
従来、フォーマット終了前に記録媒体を取り出す場合、交替領域にデータをユーザデータ領域内に複製する情報記録再生装置（例えば、特許文献１参照）があった。
【特許文献１】特開２００４−２２７７３７号公報
【発明の開示】
【発明が解決しようとする課題】
【０００４】
しかしながら、従来の情報記録再生装置では、フォーマット終了前にディスクを取り出す場合、最外周の交替領域に交替されたデータをアクセス可能領域に移さなければならないので、その交替領域に登録されているデータの量が多いと複製に時間がかかり、ディスクを排出するまでの時間がかかってしまうという問題があった。
【０００５】
また、新たな記録媒体として、記録層を複数有する記録媒体が検討されている。そのような記録媒体は、記録容量が大きくなるため、欠陥が多くなる可能性がある。従って、フォーマット終了前に記録媒体の取り出しを行う際、更に時間がかかる可能性がある。
この発明は上記の点に鑑みてなされたものであり、複数の書き込み可能なディスク状の記録層からなる記録媒体をフォーマット終了前に取り出すときの時間を短縮することを目的とする。
【課題を解決するための手段】
【０００６】
この発明は上記の目的を達成するため、次の情報記録再生装置を提供する。
（１）複数の書き込み可能なディスク状の記録層からなり、その各記録層の内周側に欠陥領域を代替するための交替領域を配置した記録媒体に対して情報の読み書きを行う手段を備えた情報記録再生装置。
（２）上記（１）の情報記録再生装置において、上記各記録層に配置した交替領域の大きさをそれぞれ異ならせた情報記録再生装置。
（３）上記（１）の情報記録再生装置において、上記各記録層の交替領域の配置位置をそれぞれずらした情報記録再生装置。
【０００７】
（４）複数の書き込み可能なディスク状の記録層からなり、その各記録層の書き始める位置側に欠陥領域を代替するための交替領域を配置した記録媒体に対して情報の読み書きを行う手段を備えた情報記録再生装置。
【発明の効果】
【０００８】
この発明による情報記録再生装置は、複数の書き込み可能なディスク状の記録層からなる記録媒体をフォーマット終了前に取り出すときの時間を短縮することができる。
【発明を実施するための最良の形態】
【０００９】
以下、この発明を実施するための最良の形態を図面に基づいて具体的に説明する。
〔実施例〕
図１は、この発明の実施例の情報記録再生システムの構成を示すブロック図である。
この情報記録再生システムは、情報記録再生装置１が通信線３を介して上位装置２に接続されている。
【００１０】
情報記録再生装置１は、ＤＶＤドライブを含む光ディスク装置であり、ＣＰＵ１０、ＲＯＭ１１、ＲＡＭ１２、上位インタフェイス（Ｉ／Ｆ）制御部１３、リード／ライト制御部１４を備えている。
ＣＰＵ１０は、ＲＯＭ１１に格納された制御ソフトウェアプログラムを実行することによって装置全体の制御を行うと共に、記録媒体１５に対するフォーマット処理及び情報（データ）の読み書き処理を実行するマイクロコンピュータである。すなわち、このＣＰＵ１０が、この発明に係る各手段の機能を果たす。
ＲＯＭ１１は、ＣＰＵ１０が実行する制御ソフトウェアプログラムを格納するメモリである。
【００１１】
ＲＡＭ１２は、記録媒体１５に書き込むデータ又は記録媒体１５から読み込んだデータを一時的に記憶し、ＣＰＵ１０が制御ソフトウェアプログラムを実行して各種の処理を行うときの一時記憶領域として使用するメモリである。
上位Ｉ／Ｆ制御部１３は、通信線３を介して上位装置２とのコマンド、データを含む各種のデータの送受信を制御する。
リード／ライト制御部１４は、記録媒体１５に対するデータの読み書きを制御する。
記録媒体１５は、ユーザのデータが書き込まれるＤＶＤ＋ＲＷディスクを含む光ディスクである。
上位装置２は、ＣＰＵ、ＲＯＭ及びＲＡＭからなるマイクロコンピュータを内蔵し、情報記録再生装置１を制御するパーソナルコンピュータである。
【００１２】
次に、上記記録媒体１５がＤＶＤの２層ディスク（以下「ＤＶＤ２層ディスク」と称する）の場合のディスクフォーマットについて説明する。
（１）ＤＶＤ２層ディスクのディスクフォーマットの第１実施例
図２は、ＤＶＤ２層ディスクの第１のフォーマット例を示す図である。
このＤＶＤ２層ディスクは、２層の書き込み可能なディスク状の記録層からなり、図中の第２記録層はディスク基板の内面側であり、その第２記録層上に第１記録層を貼り合わせている。つまり、第１記録層がデータの読み書きのためにレーザ光を照射する光学系に一番近い層である。
【００１３】
このＤＶＤ２層ディスクへの書き込み方法を、オポジット・トラック・パス（Ｏｐｐｏｓｉｔｅ  Ｔｒａｃｋ  Ｐａｔｈ：ＯＴＰ）方式にした場合（例えば、ＤＶＤ＋ＲＷディスクを用いたＤＶＤ２層ディスクの場合は標準でＯＴＰ方式を採用している）、第１記録層ではディスクの内周側から外周側へ書き込み（及び読み出し）を行い、第２記録層ではディスクの外周側から内周側へ書き込み（及び読み出し）を行う。すなわち、第１記録層と第２記録層とでは情報の読み書きの方向が逆になる。
そして、ＤＶＤ２層ディスクの第１のフォーマット例では、第１記録層と第２記録層の内周側にそのいずれかの記録層における欠陥領域を代替するための交替領域２０と２１をそれぞれ配置する。交替領域２０と２１の配置位置は内周側の対応する位置であり、領域の大きさも同一である。また、第１記録層と第２記録層の残りの領域はそれぞれユーザデータを記録するユーザデータ領域２２と２３である。
【００１４】
ＣＰＵ１０は、このＤＶＤ２層ディスクのフォーマット処理の際、第１記録層の書き込み中に欠陥を検出した場合、まず、第１記録層の交替領域２０に、その欠陥を検出した欠陥領域を代替するための交替領域（欠陥領域に代えてデータを記録する領域の交替先の領域）を割り当てる。また、第１記録領域の交替領域２０に空きが無い場合、第２記録領域２１に欠陥領域の交替領域を割り当てる。
次に、ＣＰＵ１０は、上記ＤＶＤ２層ディスクに対してファーマット処理が終了する前にディスクの排出指示があった場合、例えば、図３に示す通り、第１記録層のフォーマットが済んだフォーマット済領域２４の次の記録位置から中間ゾーン（Ｍｉｄｄｌｅ  Ｚｏｎｅ）２５を書き込む。
【００１５】
また、ＣＰＵ１０は、第２記録層について第１記録層と対応する位置にダミーデータを書き込み、中間ゾーンを設ける。
つまり、第２記録層において第１記録層の中間ゾーン２５と対応する位置に中間ゾーン２８を設ける。
上記中間ゾーン２５と２８は、ユーザデータの外側に書き込まれるデータであり、アドレス情報以外に有効な情報は書かれない。
また、上記中間ゾーン２５と２８を設けることは、アクセス可能範囲に未書き込み部分が存在すると、そのようなフォーマットのＤＶＤ２層ディスクを再生専用機で再生した場合、異常動作を起こす可能性があるので、一定量のデータをユーザデータの外側に書き込むことが規定されているためである。
【００１６】
さらに、ＣＰＵ１０は、第１記録層のフォーマット済領域２４と対応する位置の領域にダミーデータを書き込んでダミーデータ書込領域２７にする。
そして、フォーマットが未終了の中間ゾーン２５と２８より外周側は、ブランクのままのブランク領域２６と２９になる。
このようにすれば、ＤＶＤ２層ディスクにおいて各記録層の交替領域をディスクの内周側に配置するので、フォーマット終了前にディスクを取り出す時、交替領域を移す必要がなくなる。
したがって、フォーマットが終了していないときにディスク排出指示があった場合、交替されたデータを移動する必要が無く、その処理を行わない分だけディスクの取り出しを早めることができる。
【００１７】
（２）ＤＶＤ２層ディスクのディスクフォーマットの第２実施例
図４は、ＤＶＤ２層ディスクの第２のフォーマット例を示す図である。
このＤＶＤ２層ディスクの第２のフォーマット例では、上述の第１実施例と同じように、第１記録層と第２記録層の内周側にそのいずれかの記録層における欠陥領域を代替するための交替領域３０と３１をそれぞれ配置しているが、その交替領域３０と３１の大きさをそれぞれ異ならせ、第２記録層の交替領域３１は、第１記録層の交替領域３０より大きく割り当てている。そのため、第１記録層と第２記録層の残りの領域のユーザデータ領域３２と３３の大きさも異なる。
【００１８】
このようにして、各記録層に異なる大きさの交替領域を配置することにより、第１記録層の交替領域に欠陥があり、その欠陥によって第１記録層の下側に位置する第２記録層の交替領域が全て使用できなくなることを防止することができる。
すなわち、各記録層の交替領域の大きさが異なるので、光学系に一番近い層である第１記録層に大きな傷があり、その影響で第２記録層の同じ半径位置にアクセスできなくなる不具合が生じても、第２記録層の交替領域において第１記録層の交替領域と重ならない部分には第１記録層の傷の影響を受けることなくアクセスすることができ、一つの記録層の欠陥が他層の交替領域を使用不能にすることを防止することができる。
この第２のフォーマットのＤＶＤ２層ディスクは、フォーマット途中でのディスクの取り出しを早めることができ、ディスクの欠陥によって各記録層の交替領域が全て使用出来なくなる不具合を回避することが出来る。
【００１９】
（３）ＤＶＤ２層ディスクのディスクフォーマットの第３実施例
図５は、ＤＶＤ２層ディスクの第３のフォーマット例を示す図である。
このＤＶＤ２層ディスクの第２のフォーマット例では、上述の第１実施例と同じように、第１記録層と第２記録層の内周側にそのいずれかの記録層における欠陥領域を代替するための交替領域４０と４１をそれぞれ配置しているが、その交替領域４０と４１の配置位置をそれぞれずらし、第１記録層の交替領域４０は最内周側に割り当て、第２記録層の交替領域４１は若干外周側寄りに割り当てている。なお、交替領域４０と４１のそれぞれの大きさは異ならせても良いが、その場合、交替領域４０が交替領域４１に被さらないようにする必要がある。
【００２０】
そして、第１記録層では交替領域４０から外周側全てがユーザデータ領域４２になり、第２記録層では交替領域４１を挾んで外周側と内周側とにそれぞれユーザデータ領域４３と４４とが配置される。
すなわち、各記録層の交替領域を配置する際、一部又は全部をずらして配置する。
このようにして、各記録層の交替領域の配置位置が互いにずれているので、第１記録層の交替領域に欠陥があり、その欠陥によって第１記録層の下側に位置する第２記録層の交替領域が全て使用できなくなることを防止することができる。
この第３のフォーマットのＤＶＤ２層ディスクは、フォーマット途中でのディスクの取り出しを早めることができ、ディスクの欠陥によって各記録層の交替領域が全て使用出来なくなる不具合を回避することが出来る。
【００２１】
（４）ＤＶＤ２層ディスクのディスクフォーマットの第４実施例
図６は、ＤＶＤ２層ディスクの第４のフォーマット例を示す図である。
このＤＶＤ２層ディスクの第４のフォーマット例では、上述の第１〜３実施例とは異なり、第１記録層では欠陥領域を代替するための交替領域５０を最内周側に設け、第１記録層では欠陥領域を代替するための交替領域５１を最外周側に設けている。なお、交替領域５０と５１の大きさは同じにしても良いし、それぞれ異ならせても良い。
このように、各記録層の書き始める位置側に欠陥領域を代替するための交替領域を配置する。すなわち、内周側から書き始める第１記録層には最内周に交替領域５０を、外周側から書き始める第２記録層には最外周に交替領域５１をそれぞれに配置する。そして、第１記録層と第２記録層の残りの領域がそれぞれユーザデータ領域５２と５３になる。
【００２２】
このようにして、各記録層の書き始める位置側に交替領域を配置したので、第１記録層の交替領域５０に欠陥が存在しても、第２記録層の交替領域５１が使用できなくなることが無い。
また、第１記録層のフォーマットが終了するまでは第２記録層の交替領域５１を使用しないようにすれば、フォーマットが終了していないときのディスク取り出しの場合、交替領域に交替されたデータを移動する必要が無い。
この第４のフォーマットのＤＶＤ２層ディスクは、フォーマット途中でのディスクの取り出しを早めることができ、ディスクの欠陥によって各記録層の交替領域が全て使用出来なくなる不具合を回避することが出来る。
【００２３】
次に、この情報記録再生装置１における上記（１）〜（４）のＤＶＤ２層ディスクに対する共通のフォーマット処理について説明する。
図７は、図１に示す情報記録再生装置１におけるＤＶＤ２層ディスクのフォーマット処理を示すフローチャート図である。
ＣＰＵ１０は、記録媒体１５がＤＶＤ２層ディスクの場合のフォーマット処理において、ステップ（図中「Ｓ」で示す）１でＤＶＤ２層ディスクにフォーマット処理とデータ書き込み後に読み込んでエラーが無いことを検証する処理を実行し、ステップ２でエラーが発生したことによって欠陥を検出したか否かを判断し、欠陥を検出しなかったらそのままステップ４へ進み、欠陥を検出したら、ステップ３で欠陥領域を交替領域に割り当て、ステップ４でＤＶＤ２層ディスクの全ての領域でフォーマット処理を終了したか否かを判断し、終了しなければステップ１へ戻って上述の処理を繰り返し、終了したらフォーマット処理を終了する。
【産業上の利用可能性】
【００２４】
この発明による情報記録再生装置は、複数の書き込み可能なディスク状の記録層からなる記録媒体への情報の読み書きをする装置全般に適用することができる。
【図面の簡単な説明】
【００２５】
【図１】この発明の実施例の情報記録再生システムの構成を示すブロック図である。
【図２】ＤＶＤ２層ディスクの第１のフォーマット例を示す図である。
【図３】第１のフォーマット例のＤＶＤ２層ディスクを取り出したときのフォーマットを示す図である。
【００２６】
【図４】ＤＶＤ２層ディスクの第２のフォーマット例を示す図である。
【図５】ＤＶＤ２層ディスクの第３のフォーマット例を示す図である。
【図６】ＤＶＤ２層ディスクの第４のフォーマット例を示す図である。
【図７】図１に示す情報記録再生装置１におけるＤＶＤ２層ディスクのフォーマット処理を示すフローチャート図である。
【符号の説明】
【００２７】
１：情報記録再生装置    ２：上位装置    ３：通信線    １０：ＣＰＵ    １１：ＲＯＭ    １２：ＲＡＭ    １３：上位Ｉ／Ｆ制御部    １４：リード／ライト制御部    １５：記録媒体    ２０，２１，３０，３１，４０，４１，５０，５１：交替領域    ２２，２３，３２，３３，４１，４２，４３，４４，５２，５３：ユーザデータ領域    ２４：フォーマット済領域    ２５，２８：中間ゾーン    ２６，２９：ブランク領域    ２７：ダミーデータ書込領域
【図１】
2006294101.tif 000003
【図２】
2006294101.tif 000004
【図３】
2006294101.tif 000005
【図４】
2006294101.tif 000006
【図５】
2006294101.tif 000007
【図６】
2006294101.tif 000008
【図７】
2006294101.tif 000009